(57)【要約】【課題】  検図し易くでき、よって検図作業の高効率化を図れる自動設計システム、自動設計方法、および自動設計プログラムを提供すること。【解決手段】  自動設計システムは、製品の自動設計に要求される入力値情報に基づいて、計算式を含む出力値算出情報に従い出力値情報を算出する自動設計手段３と、入力値情報、出力値情報、および入力値情報と出力値情報に基づく形状を示す図面を表示するための作図情報を作成する作図情報作成手段４と、作図情報に基づいて図面を表示する画像表示手段７と、画像表示手段７により表示される図面における入力値情報の表示態様を他の情報の表示態様と異ならせて識別可能となるように表示属性を変更する属性変更手段６と、を備える。【選択図】  図１
2005310061.tif 000002
【特許請求の範囲】
【請求項１】
製品の自動設計に要求される入力値情報に基づいて、計算式を含む出力値算出情報に従い出力値情報を算出する自動設計手段と、
前記入力値情報、前記出力値情報、および前記入力値情報と前記出力値情報に基づく形状を示す図面を表示するための作図情報を作成する作図情報作成手段と、
前記作図情報に基づいて図面を表示する画像表示手段と、
前記画像表示手段により表示される図面における前記入力値情報の表示態様を他の情報の表示態様と異ならせて識別可能となるように表示属性を変更する属性変更手段と、
を備えることを特徴とする自動設計システム。
【請求項２】
前記属性変更手段は、更に、前記出力値情報が変更された場合、前記画像表示手段により表示される図面における該変更された出力値情報の表示態様を他の出力値情報の表示態様と異ならせて識別可能となるように表示属性を変更することを特徴とする請求項１に記載の自動設計システム。
【請求項３】
前記属性変更手段は、前記出力値情報の変更に伴い変更される部分の形状の表示態様を他の部分の形状の表示態様と異ならせて識別可能となるように表示属性を変更することを特徴とする請求項２に記載の自動設計システム。
【請求項４】
製品の自動設計に要求される入力値情報に基づいて、計算式を含む出力値算出情報に従い出力値情報を算出する自動設計ステップと、
前記入力値情報、前記出力値情報、および前記入力値情報と前記出力値情報に基づく形状を示す図面を表示するための作図情報を作成する作図情報作成ステップと、
前記作図情報に基づいて図面を表示する画像表示ステップと、
前記画像表示ステップにより表示される図面における前記入力値情報の表示態様を他の情報の表示態様と異ならせて識別可能となるように表示属性を変更する属性変更ステップと、
を有することを特徴とする自動設計方法。
【請求項５】
前記属性変更ステップでは、更に、前記出力値情報が変更された場合、前記画像表示ステップにより表示される図面における該変更された出力値情報の表示態様を他の出力値情報の表示態様と異ならせて識別可能となるように表示属性が変更されることを特徴とする請求項４に記載の自動設計方法。
【請求項６】
前記属性変更ステップでは、前記出力値情報の変更に伴い変更される部分の形状の表示態様を他の部分の形状の表示態様と異ならせて識別可能となるように表示属性が変更されることを特徴とする請求項５に記載の自動設計方法。
【請求項７】
請求項４〜請求項６のいずれか一項に記載の自動設計方法の各ステップをコンピュータに実行させるための自動設計プログラム。
【発明の詳細な説明】
【技術分野】
【０００１】
本発明は、コンピュータを用いて自動設計を行なう自動設計システム、自動設計方法、および自動設計プログラムに関する。
【背景技術】
【０００２】
各種製造業における製品の設計作業の高効率化を図るため、従来からコンピュータを用いた自動設計システムが開発され、該自動設計システムにより製品の設計作業および設計図面作成作業にかかる時間が大幅に短縮されている。この自動設計システムを利用して設計を行なう場合、先ず、自動設計の対象となる製品に対して要求される例えば寸法値等の入力値情報（基本諸元情報）が設計者等の操作者によりコンピュータに入力される（即ち、数値の手入力がコンピュータに対して行なわれる）。そしてその入力された数値に基づいて、コンピュータが、そのデータベースに予め記録されている計算式、計算手順、設計標準、等といった出力値算出情報に従い、自動設計（即ち、算出）を行なって出力値情報を作成し、当該出力値情報および入力値情報に基づいて図面を表示するための作図情報を作成し、そして当該作図情報に基づいて、画像表示装置に、その表示画面上あるいは印刷用記録媒体上に図（形状）および寸法値等を含む図面を出力（即ち、表示）させる。
【０００３】
上記自動設計システムにより得られた図面に対しては更に検図作業が行なわれる。具体的には、その図面が正しいかどうかについて設計者等により目視確認等のチェックが行なわれる。この検図作業が行なわれないと設計作業が完了したことにはならない。このように、自動設計であっても検図作業については高効率化が図られていない。検図作業は図面に記載されている全ての内容について行なってもよいが、特に手入力の基本諸元である数値は誤って入力されている可能性があるので、自動設計システムにより算出される数値よりも注意しながらチェックする必要がある。換言すれば、自動設計システムによって算出される数値は、手入力の数値を基に、予め定められた出力値算出情報に従って自動的に算出されるものであり、算出された数値に誤りが生じるとすれば手入力の数値の誤りが原因であるため、特に手入力の数値には検図作業において注意を要する。
【０００４】
ところで、ＣＡＤ（Computer-Aided Design）装置を用いて既に描かれた図面において寸法値あるいは形状を変更した場合に、その変更箇所が識別され易いように表示して検図作業を効率良く行なえるようにする提案が為されている（例えば、特許文献１，２，３，４参照）。しかしながら、このようなＣＡＤ装置は、入力された数値に基づいて自動設計が行われ、その結果として図面が作成される自動設計システムとは異なるため、自動設計システムにより得られた図面に対する検図作業の高効率化には何ら貢献しない。
【特許文献１】特開平１１−３３８８９５号公報
【特許文献２】特開平１１−３３８８９１号公報
【特許文献３】特開２００１−１３４６３２号公報
【特許文献４】特開２００１−２０２４０２号公報
【発明の開示】
【発明が解決しようとする課題】
【０００５】
本発明は、上述した事情に鑑みてなされたものであり、その目的は、検図し易くでき、よって検図作業の高効率化を図れる自動設計システム、自動設計方法、および自動設計プログラムを提供することにある。
【課題を解決するための手段】
【０００６】
前述した目的を達成するため、本発明に係る自動設計システムは、下記（１）、（２）および（３）を特徴している。
（１）  製品の自動設計に要求される入力値情報に基づいて、計算式を含む出力値算出情報に従い出力値情報を算出する自動設計手段と、
前記入力値情報、前記出力値情報、および前記入力値情報と前記出力値情報に基づく形状を示す図面を表示するための作図情報を作成する作図情報作成手段と、
前記作図情報に基づいて図面を表示する画像表示手段と、
前記画像表示手段により表示される図面における前記入力値情報の表示態様を他の情報の表示態様と異ならせて識別可能となるように表示属性を変更する属性変更手段と、
を備えること。
（２）  前記属性変更手段は、更に、前記出力値情報が変更された場合、前記画像表示手段により表示される図面における該変更された出力値情報の表示態様を他の出力値情報の表示態様と異ならせて識別可能となるように表示属性を変更すること。
（３）  前記属性変更手段は、前記出力値情報の変更に伴い変更される部分の形状の表示態様を他の部分の形状の表示態様と異ならせて識別可能となるように表示属性を変更すること。
【０００７】
上記（１）を特徴とする自動設計システムによれば、属性変更手段により変更された表示属性によって、図面における入力値情報の表示態様と出力値情報の表示態様とが異なり、識別可能にされるので、入力値情報を形状を見ながら検図し易く、よって検図作業の高効率化を図ることができる。
また、上記（２）を特徴とする自動設計システムによれば、属性変更手段により変更された表示属性によって、変更された出力値情報の表示態様と変更されていない出力値情報の表示態様とが異なり、識別可能にされるので、変更された出力値情報を形状を見ながら検図し易く、よって検図作業の高効率化を図ることができる。
また、上記（３）を特徴とする自動設計システムによれば、属性変更手段により変更された表示属性によって、変更された出力値情報に基づき変更される部分の形状の表示態様と他の部分の形状の表示態様とが異なり、識別可能にされるので、変更された出力値情報だけでなく、その変更に伴い変更される形状の部分についても検図し易く、よって検図作業の高効率化を図ることができる。
【０００８】
また、前述した目的を達成するため、本発明に係る自動設計方法は、下記（４）、（５）および（６）を特徴している。
（４）  製品の自動設計に要求される入力値情報に基づいて、計算式を含む出力値算出情報に従い出力値情報を算出する自動設計ステップと、
前記入力値情報、前記出力値情報、および前記入力値情報と前記出力値情報に基づく形状を示す図面を表示するための作図情報を作成する作図情報作成ステップと、
前記作図情報に基づいて図面を表示する画像表示ステップと、
前記画像表示ステップにより表示される図面における前記入力値情報の表示態様を他の情報の表示態様と異ならせて識別可能となるように表示属性を変更する属性変更ステップと、
を有すること。
（５）  前記属性変更ステップでは、更に、前記出力値情報が変更された場合、前記画像表示ステップにより表示される図面における該変更された出力値情報の表示態様を他の出力値情報の表示態様と異ならせて識別可能となるように表示属性が変更されること。
（６）  前記属性変更ステップでは、前記出力値情報の変更に伴い変更される部分の形状の表示態様を他の部分の形状の表示態様と異ならせて識別可能となるように表示属性が変更されること。
【０００９】
上記（４）を特徴とする自動設計方法によれば、属性変更ステップにより変更された表示属性によって、図面における入力値情報の表示態様と出力値情報の表示態様とが異なり、識別可能にされるので、入力値情報を形状を見ながら検図し易く、よって検図作業の高効率化を図ることができる。
また、上記（５）を特徴とする自動設計方法によれば、属性変更ステップにより変更された表示属性によって、変更された出力値情報の表示態様と変更されていない出力値情報の表示態様とが異なり、識別可能にされるので、変更された出力値情報を形状を見ながら検図し易く、よって検図作業の高効率化を図ることができる。
また、上記（６）を特徴とする自動設計方法によれば、属性変更ステップにより変更された表示属性によって、変更された出力値情報に基づき変更される部分の形状の表示態様と他の部分の形状の表示態様とが異なり、識別可能にされるので、変更された出力値情報だけでなく、その変更に伴い変更される形状の部分についても検図し易く、よって検図作業の高効率化を図ることができる。
【００１０】
また、前述した目的を達成するため、本発明に係る自動設計プログラムは上記（４）〜（６）のいずれか一つに記載の自動設計方法の各ステップをコンピュータに実行させるためのプログラムであることを特徴としている。
【００１１】
上記自動設計プログラムによれば、検図し易くでき、よって検図作業の高効率化を図ることができる。
【発明の効果】
【００１２】
本発明によれば、作成した図面が検図し易いため、検図作業の高効率化を図ることができる。
【発明を実施するための最良の形態】
【００１３】
以下、本発明に係る一実施形態を玉軸受の設計を例にして図面に基づいて詳細に説明する。
【００１４】
図１は本発明に係る自動設計システムの一実施形態の概略構成を示すブロック図、図２は本発明の自動設計システムのデータベースに格納されている面取り寸法規定テーブルの例を示す図、図３は本実施形態により得られる玉軸受の形状およびその寸法変数が表示された図面の一例を示す図、図４は本発明の自動設計システムが玉軸受の自動設計を行なう際の概略動作フローチャートを示す図、図５は基本諸元情報を入力する際に画像表示手段が表示する設計条件入力画面を示す図、図６は詳細部の自動設計処理を示す図、図７は作図情報作成手段で作成した作図情報の例を示す図、図８は表示選択手段の表示選択画面を示す図、そして図９は本発明の自動設計システムの具体的な装置構成例を示す図である。
【００１５】
図１に示される自動設計システムは、入力手段１と、データベース２と、自動設計手段３と、作図情報作成手段４と、表示選択手段５と、属性変更手段６と、画像表示手段７と、を備える。
【００１６】
入力手段１は、設計者等の操作者が、自動設計の対象となる製品、即ち、玉軸受の自動設計に要求される基本諸元情報（即ち、入力値情報）を入力するための装置である。
【００１７】
データベース２は自動設計に必要な計算式等を含む出力値算出情報を格納するものあり、当該出力値算出情報には計算式の他、計算手順、設計標準、工場の生産能力、各種寸法規定テーブル、等が含まれる。図２はデータベース２に格納されている面取り寸法規定テーブルの例を示す図である。
【００１８】
自動設計手段３は、データベース２から出力値算出情報を呼び出し、その呼び出した出力値算出情報に従って予め決められた手順で、入力手段１から基本諸元情報として入力された数値に基づき計算を行ない、製品の形状の細かい部分まで全ての寸法等を決定し、自動設計を行なうものである。このように自動設計手段３では自動設計処理により出力値情報として製品の形状の寸法等の数値が算出される。
【００１９】
作図情報作成手段４は、入力手段１から基本諸元情報として入力された数値、自動設計手段３から出力値情報として出力された数値、および入力値情報と出力値情報に基づく製品の形状を示す図面を画像表示手段７のＣＲＴ（即ち、Cathode-Ray Tube）またはＬＣＤ（即ち、Liquid Crystal Display）等といった表示器の表示画面上、あるいは紙等の印刷用記録媒体上に出力（即ち、表示）するための作図情報を作成する処理を行なう。
【００２０】
表示選択手段５は、画像表示手段７に表示させる図面の内容を選択するための手段である。具体的に、表示選択手段５は、出力値情報および形状を示す図面を表示（即ち、標準表示）するか、それに加えて入力値情報を示す図面を表示（即ち、入力値表示）または、出力値情報としての数値を変更した数値（換言すれば、置き換えた数値）および当該変更に伴い変更される部分の形状を示す図面を表示（即ち、変更部表示）するか、或いは入力値表示および変更部表示の両方を行なうか、を選択できるように機能する。尚、変更部表示について、出力値情報としての数値を変更した数値の表示のみか、或いは当該変更に伴い変更される部分の形状の表示のみかが選択できるように表示選択手段５を機能させてもよい。
【００２１】
属性変更手段６は、表示選択手段５で入力値表示および変更部表示の少なくとも一方が選択された場合に、入力値情報、および／または変更後の出力値情報および（または）当該変更に伴い変更される部分の形状の図面における表示態様が、他の表示態様と異なり識別可能となるように、入力値情報、および／または変更後の出力値情報および（または）当該変更に伴い変更される部分の形状の全ての表示属性を変更（即ち、設定）するための手段である。尚、入力値情報、および／または変更後の出力値情報および（または）当該変更に伴い変更される部分の形状の一部の情報の表示属性を変更（即ち、設定）するように属性変更手段６を機能させてもよい。
【００２２】
尚、図面上で、入力値情報、変更後の出力値情報および当該変更に伴い変更される部分の形状が、他（即ち、変更されていない出力値情報および変更されていない部分の形状）と識別可能であればよいので、入力値情報、変更後の出力値情報および当該変更に伴い変更される部分の形状の表示属性を変更してもよいが、代わりに他（即ち、変更されていない出力値情報および変更されていない部分の形状）の表示属性を変更してもよいことは言うまでもない。表示属性の具体的な例としては、表示色、グレーアウト、網かけ、マーク付け、文字サイズ、フォント、表示位置、等が挙げられるが、要するに、操作者によって入力或いは変更された箇所が、自動設計により得られた箇所と識別可能となる表示態様であれば何でもよい。
【００２３】
画像表示手段７は、作図情報作成手段４により作成された作図情報に基づき、表示選択手段５で選択された表示方法および属性変更手段６で変更された表示属性に従って、図面を表示画面上あるいは印刷用記録媒体上に表示する手段である。
【００２４】
図３は本実施形態により得られる玉軸受の形状およびその寸法変数が表示された図面の一例を示す図である。図３において、内輪内径Ｄｎ、外輪外径Ｄｇおよび高さＬｈは、基本諸元情報であり、設計者等の操作者により入力手段１から入力された数値である。内輪外径Ｄｎｏおよび外輪内径Ｄｇｉは、自動設計で取得される計算値である。Ｄｎ、ＤｇおよびＬｈは、入力値情報であるため、それらの表示態様は、図３に示されるように、出力値情報であるＤｎｏおよびＤｇｉの表示態様とは異なっており、□マークが付されて強調表示されている。このようにＤｎ、ＤｇおよびＬｈは、ＤｎｏおよびＤｇｉと識別可能である。
【００２５】
上記構成の自動設計システムの具体的な装置構成例が図９に示される。図９では、入力手段１としてキーボードおよびマウスが示され、データベース２としてデータベースサーバーが示され、自動設計手段３、作図情報作成手段４、表示選択手段５および属性変更手段６としてパーソナルコンピュータ等のコンピュータが示され、そして画像表示手段７として表示器およびプリンターが示されており、これらがケーブルにより通信可能に接続されている。
【００２６】
次に、玉軸受の自動設計を行なう際の自動設計システムの動作を図４〜図８を参照しながら説明する。
【００２７】
自動設計システムの動作が開始される（即ち、ステップＳ４０１）。設計者等の操作者が玉軸受の各寸法値を入力手段１から入力する（即ち、ステップＳ４０２）。各寸法値を入力するとき、設計者等の操作者は、図５に示す画面を見ながら、基本諸元情報であるＤｎの値、Ｄｇの値、そしてＬｈの値を順次入力する。そして、基本諸元情報を入力後に「ＯＫ」をクリックして入力が確定する。
【００２８】
次に、自動設計手段３は、データベース２から出力値算出情報を呼び出し、その呼び出した出力値算出情報に従って予め決められた手順で、ステップＳ４０２で入力された基本諸元情報に基づき計算を行ない、製品の形状の細かい部分まで全ての寸法等を決定し、自動設計を行なう（即ち、ステップＳ４０３）。具体的に、自動設計手段３は、自動設計を行なうとき、ステップＳ４０２で入力されたＤｎ、Ｄｇ、Ｌｈそれぞれの値に基づいて詳細部の寸法値であるＤｎｏ、Ｄｇｉ、等を図６に示す計算式に従って算出する。
【００２９】
次に、作図情報作成手段４は、ステップＳ４０２で入力された基本諸元情報、ステップＳ４０３で算出された出力値情報、および基本諸元情報と出力値情報に基づく製品の形状を示す図面を表示するための作図情報を作成する処理を行なう（即ち、ステップＳ４０４）。図７は作図情報作成手段で作成した作図情報の例を示す図である。
【００３０】
次に、表示選択手段５で画像表示手段７に表示させる図面の内容が選択される（即ち、ステップＳ４０５）。具体的には、設計者等の操作者が、図８に示す画面を見ながら、好みの図面の表示方法を選択する。選択入力後に「ＯＫ」をクリックして選択が確定する。
【００３１】
次に、属性変更手段６は、ステップＳ４０５で入力値表示および変更部表示の少なくとも一方が選択された場合に、入力値情報の図面における表示態様、および／または変更後の出力値情報および（または）当該変更に伴い変更される部分の形状の図面における表示態様が、他の表示態様と異なり識別可能となるように、入力値情報、および／または変更後の出力値情報および（または）当該変更に伴い変更される部分の形状の全ての表示属性を変更する（即ち、ステップＳ４０６）。
【００３２】
そして、画像表示手段７は、ステップＳ４０４で作成された作図情報に基づき、ステップＳ４０５で選択された表示方法およびステップＳ４０６で変更された表示属性に従って、図面を表示画面上あるいは印刷用記録媒体上に表示する（即ち、ステップＳ４０７）。
【００３３】
ステップＳ４０１〜Ｓ４０７の一連の動作結果が図３に示されている。図３に示されるように、Ｄｎ、Ｄｇ、Ｌｈは手入力値であるので、□マークが付されて強調表示され、他のＤｎｏ、Ｄｇｉは計算（自動設計）で得た数値なので平常表示されている。
【００３４】
以下、入力された基本諸元情報に基づいて詳細寸法値を算出して図面を自動的に作成する実施例１と、入力された基本諸元情報に基づいて詳細寸法値を算出し、更に操作者がユーザ寸法を設定して図面を自動的に作成する実施例２と、入力された基本諸元情報から取得した各部寸法を基に機能計算を行なって図面を自動的に作成する実施例３とについて詳細に説明する。
【００３５】
＜実施例１＞
図１０は本実施例により得られる玉軸受の形状およびその寸法変数が表示された図面を示す図、図１１は本実施例の動作フローチャートを示す図、図１２は本実施例の基本諸元情報の入力画面を示す図、図１３は本実施例の寸法値の自動計算処理を示す図、そして図１４は基本諸元情報が強調表示され且つ、算出された数値（即ち、出力値情報）が平常表示された画面の一例を示す図である。
【００３６】
図１０において、内輪内径Ｄｎ、外輪外径Ｄｇおよび高さＢｏは、基本諸元情報であり、設計者等の操作者により入力手段１から入力された数値である。内輪外径Ｄｎｏ、外輪内径Ｄｇｉ、複数箇所のアール半径ｒ１および複数箇所のアール半径ｒ２は、自動設計で出力値情報として取得される詳細寸法値（即ち、計算値）である。Ｄｎ、ＤｇおよびＢｏは、入力値情報であるため、それらの表示態様は、図１０に示されるように、出力値情報のＤｎｏ、Ｄｇｉ、ｒ１およびｒ２の表示態様とは異なっており、□マークが付されて強調表示されている。このようにＤｎ、ＤｇおよびＬｈは、Ｄｎｏ、Ｄｇｉ、ｒ１およびｒ２と識別可能である。
【００３７】
次に、図１に示す自動設計システムを用いて図１０に示す玉軸受の設計を行なう際の動作を図１１に示すフローチャートを参照しながら説明する。
【００３８】
自動設計が開始される（即ち、ステップＳ１１０１）。ステップＳ１１０２で設計者等の操作者が基本諸元情報を入力するとき、操作者は図１２に示す画面を見ながら、Ｄｎの値、Ｄｇの値、そしてＢｏの値を順次入力する。基本諸元情報を入力後に「ＯＫ」をクリックして入力が確定する。
【００３９】
ステップＳ１１０３で自動設計手段３は、ステップＳ１１０２で入力されたＤｎ、Ｄｇ、Ｂｏそれぞれの値に基づいて詳細部の寸法であるＤｎｏおよびＤｇｉを図１３に示す計算式に従って算出し且つ、算出されたＤｎｏおよびＤｇｉの寸法を基に、図２に示した面取り寸法規定テーブルに従ってｒ１およびｒ２を決定する。
【００４０】
ステップＳ１１０４では、図４に示したステップＳ４０４〜Ｓ４０７と同様な手順で作図情報等を決定し、図面を出力する。尚、本実施例では、図１４に示されるように、基本諸元情報Ｄｎ、Ｄｇ、Ｂｏが網かけ強調表示され且つ、算出された数値（即ち、出力値情報）Ｄｎｏ、Ｄｇｉ、ｒ１、ｒ２が平常表示された（製品の形状は表示しない）画面を、図１０に示される図面を表示する前に、操作者が見られるようになっている。
【００４１】
本実施形態の実施例１によれば、手入力した数値と自動で算出した数値とを異なる表示態様で区別して表示するので、誤って入力された寸法値等を発見し易い。また、手入力した数値を形状を見ながら検図し易く、よって検図作業の高効率化を図ることができる。
【００４２】
＜実施例２＞
次に、本実施形態の実施例２を説明する。実施例２では、入力された基本諸元情報に基づいて詳細寸法値を算出し、更に操作者がユーザ寸法を設定して図面を自動的に作成する。
【００４３】
図１５は本実施例により得られる玉軸受の形状およびその寸法変数が表示された図面を示す図、図１６は本実施例の動作フローチャートを示す図、図１７は本実施例のユーザ寸法入力の入力画面を示す図、そして図１８は基本諸元情報およびユーザ入力寸法値（即ち、出力値情報と置き換えた数値）が強調表示され且つ、算出された数値（即ち、変更されていない出力値情報）が平常表示された画面の一例を示す図である。
【００４４】
図１５において、内輪内径Ｄｎ、外輪外径Ｄｇおよび高さＢｏは、基本諸元情報であり、設計者等の操作者により入力手段１から入力された数値である。内輪外径Ｄｎｏ、外輪内径Ｄｇｉ、複数箇所のアール半径ｒ１および複数箇所のアール半径ｒ２は、自動設計で出力値情報として取得される詳細寸法値（即ち、計算値）である。また、複数箇所のアール半径ｒ１１およびｒ２１は自動設計により出力値情報として算出された数値を変更したユーザ入力寸法値である。Ｄｎ、ＤｇおよびＢｏは入力値情報であり、ｒ１１およびｒ２１は出力値情報を変更した数値であるため、それらの表示態様は、図１５に示されるように、出力値情報のＤｎｏ、Ｄｇｉ、ｒ１およびｒ２の表示態様とは異なっており、□マークが付されて強調表示されている。このようにＤｎ、Ｄｇ、Ｌｈ、ｒ１１およびｒ２１は、Ｄｎｏ、Ｄｇｉ、ｒ１およびｒ２と識別可能である。尚、図１５には示されないが、アール半径ｒ１１およびアール半径ｒ２１といった変更に伴い変更されるアール形の形状部分やそれらを指す矢印も識別可能なように適宜強調表示される。
【００４５】
次に、図１に示す自動設計システムを用いて図１５に示す玉軸受の設計を行なう際の動作を図１６に示すフローチャート図を参照しながら説明する。
【００４６】
ステップＳ１６０１〜Ｓ１６０３の動作は図１１に示したステップＳ１１０１〜Ｓ１１０３と同様であるので、説明を省略する。
【００４７】
ステップＳ１６０３で寸法値算出を行なった後、ステップＳ１６０４でユーザ寸法を入力する。図１７は本実施例のユーザ寸法入力の入力画面を示す図である。ユーザ寸法を入力するとき、操作者は図１７に示す画面を見ながら、ｒ１１の値、ｒ２１の値を順次入力し、製品形状に関与するユーザ寸法値を入力する。ユーザ寸法値を入力後に「ＯＫ」をクリックして入力が確定する。
【００４８】
ステップ１６０５ではステップＳ１１０４と同様に作図情報等を決定し、図面を出力する。尚、本実施例では、図１８に示されるように、基本諸元情報Ｄｎ、Ｄｇ、Ｂｏおよびユーザ入力寸法値ｒ１１、ｒ２１が網かけ強調表示され且つ、算出された数値（即ち、変更されていない出力値情報）Ｄｎｏ、Ｄｇｉ、ｒ１、ｒ２が平常表示された（製品の形状は表示しない）画面を図１５に示される図面を表示する前に操作者が見られるようになっている。
【００４９】
本実施形態の実施例２によれば、前述した実施例１の作用および効果に加えて、変更された出力値情報を形状を見ながら検図し易く、よって検図作業の高効率化を図ることができる。また、変更された出力値情報だけでなく、その変更に伴い変更される形状の部分についても検図し易く、よって検図作業の高効率化を図ることができる。
【００５０】
＜実施例３＞
次に、本実施形態の実施例３を説明する。実施例３では、入力された基本諸元情報から取得した各部寸法を基に機能計算を行なって図面を自動的に作成する。
【００５１】
図１９は本実施例により得られる玉軸受の形状、その寸法変数および玉数が表示された図面を示す図、図２０は本実施例の動作フローチャートを示す図、図２１は本実施例の基本諸元入力の入力画面を示す図、図２２は本実施例の詳細部の自動設計処理を示す図、図２３は寿命計算処理を示す図、図２４は目標値確認処理を示す図、図２５は寸法確認画面を示す図、図２６は修正寸法入力の入力画面を示す図、そして図２７は基本諸元情報およびユーザ入力数値（即ち、出力値情報と置き換えた数値）が強調表示され且つ、算出された数値（即ち、変更されていない出力値情報）が平常表示された画面の一例を示す図である。
【００５２】
自動設計が開始される（即ち、ステップＳ２００１）。ステップＳ２００２で設計者等の操作者が基本諸元と目標値を入力するとき、操作者は図２１に示す画面を見ながら、Ｄの値、ｄの値、そしてＢの値を順次入力し、そして目標寿命（Ｌ）の値、回転数（Ｒ）の値、荷重（Ｐ）の値を入力する。各数値を入力後に「ＯＫ」をクリックして入力が確定する。
【００５３】
自動設計手段３は、データベース２から出力値算出情報を呼び出し、その呼び出した出力値算出情報に従って予め決められた手順で、ステップＳ２００２で入力された基本諸元情報および目標値情報に基づき計算を行ない、製品の形状の細かい部分まで全ての寸法等を決定し、自動設計を行なう（即ち、ステップＳ２００３）。具体的に、自動設計手段３は、自動設計を行なうとき、ステップＳ２００２で入力されたＤ、ｄ、Ｂの値および目標寿命（Ｌ）の値、回転数（Ｒ）の値、荷重（Ｐ）の値に基づいてＤａ、ＰＣＤ、Ｚ等の寸法を図２２に示す計算式により決定する。
【００５４】
ステップＳ２００３で算出した寸法値に基づいて機能計算が行なわれる（即ち、ステップＳ２００４）。本実施例は、玉軸受の寿命を計算する。図２３は寿命計算処理を示す図である。図２３において、Ｄａ、ＰＣＤ、ＺはステップＳ２００３で算出した寸法値であり、ＬｈはＤａ、ＰＣＤ、Ｚにより算出した玉軸受の寿命である。
【００５５】
ステップＳ２００５において、算出した玉軸受の寿命が目標寿命に満足したか否かが判断される。図２４は目標値確認処理を示す図である。
【００５６】
ステップＳ２００５において、計算寿命が目標寿命未満と判定された場合、ステップＳ２００８で寸法値修正が行なわれる。図２６は修正寸法入力の入力画面を示す図である。  操作者が寸法値を修正するとき、図２６に示す寸法入力画面を見ながら玉の数を入力する。玉の数を入力後に「ＯＫ」がクリックされて入力が確定し、ステップＳ２００４で再度機能計算が行なわれる。そしてステップＳ２００４〜Ｓ２００５〜Ｓ２００８の動作を計算寿命が目標寿命を超えるまで繰り返して行なう。
【００５７】
一方、ステップＳ２００５において、計算寿命が目標寿命を超えたと判定された場合、ステップＳ２００６で寸法値表示が行なわれる。図２５は寸法確認画面を示す図である。
【００５８】
ステップＳ２００７で寸法値確認が行なわれる。操作者は寸法値を確認するとき、図２５に示す画面で確認し、玉の数Ｚが適当かどうかを確認する。
【００５９】
ステップＳ２００７において、図２５に示す寸法値確認画面を見ながら操作者が「ＮＧ」をクリックした場合、ステップＳ２００８で玉の数を手入力により変更し、ステップＳ２００４へ進む。そしてステップＳ２００４〜Ｓ２００５〜Ｓ２００６〜Ｓ２００７〜Ｓ２００８の動作を操作者が図２５に示す画面で「ＯＫ」をクリックするまで繰り返して行なう。
【００６０】
一方、ステップＳ２００７において、図２５に示す寸法値確認画面で操作者が「ＯＫ」をクリックした場合、ステップＳ２００９でステップＳ１１０４と同様に作図情報等を決定し、図面を出力する。尚、本実施例では、図２７に示されるように、基本諸元情報Ｄ、ｄ、Ｂおよびユーザ入力数値ｚが網かけ強調表示され且つ、算出された数値（即ち、変更されていない出力値情報）Ｄａ、ＰＣＤが平常表示された（製品の形状は表示しない）画面を、図１９に示される図面を表示する前に、操作者が見られるようになっている。
【００６１】
本実施形態の実施例３によれば、前述した実施例２と同様に、変更された出力値情報を形状を見ながら検図し易く、よって検図作業の高効率化を図ることができる。
【００６２】
尚、上述した実施形態の説明では簡単な玉軸受の設計を例に挙げたが、本発明が、円筒ころ軸受、ハブ軸受、ニードル軸受、等の設計にも同様に適用することができることは言うまでもない。
【図面の簡単な説明】
【００６３】
【図１】本発明に係る自動設計システムの一実施形態の概略構成を示す図である。
【図２】本発明の自動設計システムのデータベースに格納されている面取り寸法規定テーブルの例を示す図である。
【図３】本実施形態により得られる玉軸受の形状およびその寸法変数が表示された図面の一例を示す図である。
【図４】本発明の自動設計システムが玉軸受の自動設計を行なう際の概略動作フローチャートを示す図である。
【図５】本発明の自動設計システムの入力手段から基本諸元情報を入力する際に画像表示手段が表示する設計条件入力画面を示す図である。
【図６】本発明の自動設計システムによる玉軸受の詳細部の自動設計処理を示す図である。
【図７】作図情報作成手段で作成した作図情報の例を示す図である。
【図８】表示選択手段の表示選択画面を示す図である。
【図９】本発明の自動設計システムの具体的な装置構成例を示す図である。
【図１０】実施例１により得られる玉軸受の形状およびその寸法変数が表示された図面を示す図である。
【図１１】実施例１の動作フローチャートを示す図である。
【図１２】実施例１の基本諸元情報の入力画面を示す図である。
【図１３】実施例１の寸法値の自動計算処理を示す図である。
【図１４】基本諸元情報が強調表示され且つ、算出された数値（即ち、出力値情報）が平常表示された画面の一例を示す図である。
【図１５】実施例２により得られる玉軸受の形状およびその寸法変数が表示された図面を示す図である。
【図１６】実施例２の動作フローチャートを示す図である。
【図１７】実施例２のユーザ寸法入力の入力画面を示す図である。
【図１８】基本諸元情報、およびユーザ入力寸法値（即ち、出力値情報と置き換えた数値）が強調表示され且つ、算出された数値（即ち、変更されていない出力値情報）が平常表示された画面の一例を示す図である。
【図１９】実施例３により得られる玉軸受の形状、その寸法変数および玉数が表示された図面を示す図である。
【図２０】実施例３の動作フローチャートを示す図である。
【図２１】実施例３の基本諸元入力の入力画面を示す図である。
【図２２】実施例３の詳細部の自動設計処理を示す図である。
【図２３】寿命計算処理を示す図である。
【図２４】目標値確認処理を示す図である。
【図２５】寸法確認画面を示す図である。
【図２６】修正寸法入力の入力画面を示す図である。
【図２７】基本諸元情報およびユーザ入力数値（即ち、出力値情報と置き換えた数値）が強調表示され且つ、算出された数値（即ち、変更されていない出力値情報）が平常表示された画面の一例を示す図である。
【符号の説明】
【００６４】
１  入力手段
２  データベース
３  自動設計手段
４  作図情報作成手段
５  表示選択手段
６  属性変更手段
７  画像表示手段
【図１】
2005310061.tif 000003
【図２】
2005310061.tif 000004
【図３】
2005310061.tif 000005
【図４】
2005310061.tif 000006
【図５】
2005310061.tif 000007
【図６】
2005310061.tif 000008
【図７】
2005310061.tif 000009
【図８】
2005310061.tif 000010
【図９】
2005310061.tif 000011
【図１０】
2005310061.tif 000012
【図１１】
2005310061.tif 000013
【図１２】
2005310061.tif 000014
【図１３】
2005310061.tif 000015
【図１５】
2005310061.tif 000016
【図１６】
2005310061.tif 000017
【図１７】
2005310061.tif 000018
【図１９】
2005310061.tif 000019
【図２０】
2005310061.tif 000020
【図２１】
2005310061.tif 000021
【図２２】
2005310061.tif 000022
【図２３】
2005310061.tif 000023
【図２４】
2005310061.tif 000024
【図２５】
2005310061.tif 000025
【図２６】
2005310061.tif 000026
【図２７】
2005310061.tif 000027
【図１４】
2005310061.tif 000028
【図１８】
2005310061.tif 000029